(57)【要約】【課題】物品に取り付けたＲＦＩＤの故障および脱落を容易に検出し、故障・脱落したＲＦＩＤを新たなＲＦＩＤに付け替え、既存属性情報を容易に継続できるようにする。【解決手段】固有ＩＤを有する複数のＲＦＩＤ２を物品１に取り付け、ＲＦＩＤ２の固有ＩＤを読み取り物品１を管理する方法であって、１個の物品１に２個以上のＲＦＩＤ２を取り付け、故障又は脱落したＲＦＩＤ２を検出した際に、ＲＦＩＤ２を取り付けていた物品１の他のＲＦＩＤ２の固有ＩＤを読み取る。故障又は脱落したＲＦＩＤ２を新たなＲＦＩＤに付け替える。【選択図】図１
2008097482.tif 000002
【特許請求の範囲】
【請求項１】
固有ＩＤをそれぞれ有する複数のＲＦＩＤを物品に取り付け、取り付けたＲＦＩＤの固有ＩＤを読み取り該物品を管理する方法であって、
１個の物品に２個以上のＲＦＩＤを取り付けることと、故障又は脱落したＲＦＩＤを検出した際に、故障又は脱落したＲＦＩＤを取り付けていた物品の他のＲＦＩＤの固有ＩＤを読み取ることを含むことを特徴とする物品管理方法。
【請求項２】
請求項１記載の物品管理方法において、
物品に取り付けたＲＦＩＤの故障又は脱落を検出して該物品に取り付けた他のＲＦＩＤの固有ＩＤを読み取ることと、故障又は脱落したＲＦＩＤを新たなＲＦＩＤに付け替えることを含むことを特徴とする物品管理方法。
【請求項３】
請求項１又は２に記載の物品管理方法において、
故障又は脱落したＲＦＩＤを検出した際に、故障又は脱落したＲＦＩＤを取り付けていた物品の他のＲＦＩＤの固有ＩＤを読み取り、物品の属性情報と該物品に取付けた２個以上のＲＦＩＤがそれぞれ有する固有ＩＤとを結び付けたデータベースを元に、故障又は脱落したＲＦＩＤを取り付けていた物品を特定することを含むことを特徴とする物品管理方法。
【発明の詳細な説明】
【技術分野】
【０００１】
本発明は、物品管理方法に関し、特にＲＦＩＤリーダでＲＦＩＤを読み取り、物品に取り付けたＲＦＩＤの故障および脱落を検出し、その故障および脱落したＲＦＩＤを新たなＲＦＩＤに付け替える管理方法に関する。
【背景技術】
【０００２】
従来、ＲＦＩＤを使用しての物品管理は、管理の対象となる物品にＲＦＩＤを１個取り付け、該当物品の属性情報とＲＦＩＤの固有ＩＤとを１：１で管理をしていた。従って、１個のＲＦＩＤが故障した場合には、ＲＦＩＤリーダが故障しているのか、そのＲＦＩＤが故障しているのか判らない上、該当物品を特定できなかった。また、ＲＦＩＤが脱落した場合も、該当物品を特定できなかった。さらに、該当物品に新たなＲＦＩＤを付け替える時に、物品の属性情報を新たに作成し直す必要があった。システムの構成次第では、物品の既存属性情報を失う場合もある。
【発明の開示】
【発明が解決しようとする課題】
【０００３】
本発明は、物品に取り付けたＲＦＩＤの故障および脱落を容易に検出し、その故障および脱落したＲＦＩＤを新たなＲＦＩＤに付け替える時に物品の属性情報を紛失することなく、新たなＲＦＩＤに既存属性情報を容易に継続できるようにすることを目的とする。
【課題を解決するための手段】
【０００４】
上記目的を達成するため、本発明では１個の物品に２個以上のＲＦＩＤを取り付け、該当ＲＦＩＤの複数固有ＩＤと１個の物品の属性情報を結び付けるデータベースを作成し、ＲＦＩＤリーダでどのＲＦＩＤの固有ＩＤを読み取っても、該当物品を特定することを可能とする管理方法を行う。
【０００５】
すなわち、本発明は、固有ＩＤをそれぞれ有する複数のＲＦＩＤを物品に取り付け、取り付けたＲＦＩＤの固有ＩＤを読み取り該物品を管理する方法であって、１個の物品に２個以上のＲＦＩＤを取り付けることと、故障又は脱落したＲＦＩＤを検出した際に、故障又は脱落したＲＦＩＤを取り付けていた物品の他のＲＦＩＤの固有ＩＤを読み取ることを含む物品管理方法である。
【０００６】
また、本発明は、上述した物品管理方法において、物品に取り付けたＲＦＩＤの故障又は脱落を検出して該物品に取り付けた他のＲＦＩＤの固有ＩＤを読み取ることと、故障又は脱落したＲＦＩＤを新たなＲＦＩＤに付け替えることを含む物品管理方法である。
【０００７】
そして、本発明は、上述した物品管理方法において、故障又は脱落したＲＦＩＤを検出した際に、故障又は脱落したＲＦＩＤを取り付けていた物品の他のＲＦＩＤの固有ＩＤを読み取り、物品の属性情報と該物品に取付けた２個以上のＲＦＩＤがそれぞれ有する固有ＩＤとを結び付けたデータベースを元に、故障又は脱落したＲＦＩＤを取り付けていた物品を特定することを含む物品管理方法である。
【０００８】
上記のように１個の物品に２個以上のＲＦＩＤを取り付けすることで、取り付けたＲＦＩＤ全てが同時に故障および脱落しない限り、ＲＦＩＤリーダで１個以上のＲＦＩＤを読み取れば該当物品を識別し続ける事が可能なため、該当物品を識別できない状態を排除できる。また、本発明では故障および脱落したＲＦＩＤを新たなＲＦＩＤに取り付けた後、該当物品の属性情報とＲＦＩＤの固有ＩＤとの対応付けをしなおすことが可能であり、物品の既存管理情報を失う状態を排除できる。
【発明の効果】
【０００９】
本発明によれば、１個の物品に２個以上のＲＦＩＤを取り付け、故障および脱落したＲＦＩＤを検出する事を特徴とする物品管理方法を提供することが出来る。また、１個のＲＦＩＤが故障および脱落による読取不可な場合でも、別のＲＦＩＤの固有ＩＤを読み取る事により、引き続き物品を識別可能にする事を特徴とする物品管理方法を提供することが出来る。
【００１０】
更に、１個の物品に２個以上のＲＦＩＤを取り付け、ＲＦＩＤの故障および脱落による物品の管理情報を失う事を防ぎ、故障および脱落したＲＦＩＤの取り替えにおいても、正常なＲＦＩＤを読み取る事で認識する事ができ、引き続き物品を識別可能にする事を特徴とする物品管理方法を提供することが出来る。
さらに、複数のＲＦＩＤを取り付けておくことで識別できる面数（方向）を増やすことができる。
【発明を実施するための最良の形態】
【００１１】
以下、本発明の物品管理方法の実施の形態について、適宜図面を参照して詳細に説明する。図１は本発明の実施例として、物品１に２個以上のＲＦＩＤ２ａ〜２ｄを取り付け、ＲＦＩＤリーダ３で読み取る状態を示す。
【００１２】
図１に示すように、物品１に取り付けたＲＦＩＤ２ａをＲＦＩＤリーダ３で読み取りが出来なかった場合、ＲＦＩＤ２ａ以外であるＲＦＩＤ２ｂ〜２ｄのいずれかを読み取るようにする。この時、ＲＦＩＤ２ｂ〜２ｄのいずれかをＲＦＩＤリーダ３で読み取ることが出来れば、ＲＦＩＤ２ａの故障を検出できる。物品１に取り付けたＲＦＩＤ２ａ〜２ｄの全てをＲＦＩＤリーダ３で読み取ることが出来なければ、ＲＦＩＤ２ａ〜２ｄのすべてが故障しているのか、ＲＦＩＤリーダ３が故障しているのかは判断できないが、ＲＦＩＤ２ａ〜２ｄが同時に故障する確率は非常に低くなる。さらにＲＦＩＤの同時故障の確率を下げて信頼性を高くするためには、より多くのＲＦＩＤを物品１に取り付けることによって解決可能である。これにより、物品に取り付けた全てが同時に故障および脱落しない限り、ＲＦＩＤリーダで１個以上のＲＦＩＤを読み取れば該当物品を識別し続ける事が可能なため、該当物品を識別できない状態を排除できる。また、故障又は脱落したＲＦＩＤを新たなＲＦＩＤに取り付けた後、該当物品の属性情報とＲＦＩＤの固有ＩＤとの対応付けをしなおすことが可能であり、物品の既存管理情報を失う状態を排除できる。
【００１３】
図２は物品１から脱落したＲＦＩＤの検出方法を示す説明図である。まず、物品１に取り付けたＲＦＩＤ２ｄが脱落していると仮定する。物品１に取り付けているＲＦＩＤ２ａ〜２ｃのいずれかをＲＦＩＤリーダ３で読み取る。本実施例では、ＲＦＩＤ２ａ〜２ｃから読み取ったＲＦＩＤ固有ＩＤに対応する管理個体Ｎｏ．を、ＲＦＩＤ固有ＩＤ管理個体Ｎｏ．対応表で検索する。図２の例では、検索した管理個体Ｎｏ．はＮｏ．００００１となる。検索した管理個体Ｎｏ．に対応する管理個体名称等を、管理個体情報表で検索する。図２の例では、該当する管理個体名称は管理個体Ａとなる。この時、管理個体Ａに対応するＲＦＩＤ固有ＩＤがＲＦＩＤ０００１〜ＲＦＩＤ０００４とわかるので、物品１に取り付けたＲＦＩＤは４個であったと判断できる。従って、物品１にはＲＦＩＤが３個しかないので、ＲＦＩＤの１個が脱落していることを検出できる。
【００１４】
図３は図２に示した処理の流れのフローチャートによる説明図である。
物品１に取り付けているＲＦＩＤ２ａ〜２ｄのいずれかをＲＦＩＤリーダ３で読み取り、読み取りＯＫか判定する（ステップＳ１０）。読み取りが正常に行われた場合は次の処理に進み、読み取りが正常に行われなかった場合は読み取る対象を他のＲＦＩＤに変更し（ステップＳ１１）、同じ処理（ステップＳ１０）を繰り返す。次に、読み取ったＲＦＩＤ固有ＩＤを元に、ＲＦＩＤ固有ＩＤ管理個体Ｎｏ．対応表より管理個体Ｎｏ．を検索する（ステップＳ１２）。ステップＳ１２で検索して得た管理個体Ｎｏ．を元に、管理個体情報表より該当物品の管理個体名称、管理個体コード等を検索する（ステップＳ１３）。ＲＦＩＤ固有ＩＤ管理個体Ｎｏ．対応表より該当物品のＲＦＩＤ固有ＩＤ管理個体Ｎｏ．数をカウントし、その個数を確認する（ステップＳ１４）。ステップＳ１４で確認したＲＦＩＤ固有ＩＤ個数と物品に取り付けているＲＦＩＤの個数を比較し、同一数か判定する（ステップＳ１５）。同一数の場合はＲＦＩＤの脱落無しと判定し（ステップＳ１６）、同一でない場合は脱落有りと判定する（ステップＳ１７）。
【００１５】
図４は、物品１に取り付けたＲＦＩＤが故障および脱落を検出した場合に、新たなＲＦＩＤに付け替える方法を示す説明図である。まず、物品１に取り付けたＲＦＩＤ２ｄが故障或いは脱落していると仮定する。ＲＦＩＤ２ｄが故障或いは脱落していることの検出方法については、前述しているのでここでは記載しない。
【００１６】
物品１に取り付けているＲＦＩＤ２ａ〜２ｃのいずれかをＲＦＩＤリーダ３で読み取る。本実施例では、ＲＦＩＤ２ａ〜２ｃに対応したＲＦＩＤ固有ＩＤを元に、ＲＦＩＤ固有ＩＤ管理個体Ｎｏ．対応表から該当する管理個体Ｎｏ．を検索する。図４では、管理個体Ｎｏ．はＮｏ．００００１となる。該当管理個体Ｎｏ．に対して、新たに取り付けたＲＦＩＤ２ｅのＲＦＩＤ固有ＩＤをＲＦＩＤ固有ＩＤ管理個体Ｎｏ．対応表に追加する。従って、物品１にはＲＦＩＤ２ａ〜２ｃ、２ｅの４個が取り付けられたことになる。
【００１７】
前述の処理の流れを図５のフローチャートにて説明する。
物品１に取り付けているＲＦＩＤ２ａ〜２ｃのいずれかをＲＦＩＤリーダ３で読み取り、読み取りＯＫか判定する（ステップＳ２０）。読み取りが正常に行われた場合は次の処理に進み、読み取りが正常に行われなかった場合は読み取る対象を他のＲＦＩＤに変更し（ステップＳ２１）、同じ処理（ステップＳ２０）を繰り返す。次に、読み取ったＲＦＩＤ固有ＩＤを元に、ＲＦＩＤ固有ＩＤ管理個体Ｎｏ．対応表より管理個体Ｎｏ．を検索する（ステップＳ２２）。該当管理個体Ｎｏ．に対して、新たに物品に取り付けたＲＦＩＤ固有ＩＤを追加する（ステップＳ２３）。これにより、物品１に正常な４個のＲＦＩＤを取付けることができる。
【００１８】
図６は物品管理の応用例として、物品１の表側にＲＦＩＤ２ａを取り付け、裏側にＲＦＩＤ２ｂを取り付けて管理する方法の説明図である。このようにＲＦＩＤを両面に取り付けることによって、物品１がＲＦＩＤリーダ３に対して、ＲＦＩＤ２ａを取り付けている表側を向いていても、ＲＦＩＤ２ｂを取り付けている裏側を向いていてもＲＦＩＤリーダ３でＲＦＩＤ２ａもしくはＲＦＩＤ２ｂを読み取ることが可能である。ＲＦＩＤ２ａとＲＦＩＤ２ｂの固有ＩＤを変えることにより、表側又は裏側を区別することもできる。
【００１９】
図７は物品１の同じ面にＲＦＩＤ２ａ、２ｂを取り付けて管理する方法の説明図である。このように複数のＲＦＩＤを同じ面に取り付けることによって、ＲＦＩＤ２ａもしくはＲＦＩＤ２ｂのいずれか１個をＲＦＩＤリーダ３で読み取ることにより物品１を認識することが可能である。例えば、物品１の長さが数メールあると仮定した場合、ＲＦＩＤを一定の間隔で複数個取り付けることにより、ＲＦＩＤリーダ３で一番近くにあるＲＦＩＤを読み取ることにより物品１を認識することが可能である。
【００２０】
図８は断面形状が円形物品１にＲＦＩＤ２ａ〜２ｃを最適に取り付けた状態の説明図である。円形を３分割した位置にＲＦＩＤ２ａ〜２ｃを取り付けることにより、ＲＦＩＤリーダが円形物品１のどの円周上にあってもＲＦＩＤ２ａ〜２ｃのいずれかを読み取ることが可能である。
【００２１】
図９は断面形状が楕円形物品１にＲＦＩＤ２ａ〜２ｄを最適に取り付けた状態の説明図である。楕円を４分割した位置にＲＦＩＤ２ａ〜２ｄを取り付けることにより、ＲＦＩＤリーダが楕円形物品１のどの円周上にあってもＲＦＩＤ２ａ〜２ｄのいずれかを読み取ることが可能である。
【００２２】
図１０は断面形状が１２角形の物品１にＲＦＩＤ２ａ〜２ｄを最適に取り付けた状態の説明図である。例えば、ＲＦＩＤリーダ３ａの位置からはＲＦＩＤ２ａは読み取ることができるが、ＲＦＩＤ２ｅは物品１自身が作り出す電波の届かない位置に取り付けているため、ＲＦＩＤリーダ３ａから読み取ることはできない。図１０のようにＲＦＩＤ２ａ〜２ｄを取り付ければ、最適な物品管理方法を実施することが可能である。
【００２３】
前述したように、２個以上のＲＦＩＤの固有ＩＤと物品Ｎｏ．の対応で物品管理する方法では、物品に取り付けするＲＦＩＤの個数を制限する事なく管理可能であり、あらゆる形状の物品に対しても管理可能である。そして、この管理方法を採用する事で、物品に取り付けしたＲＦＩＤが故障又は脱落により読み取りできなくなった場合でも、新たなＲＦＩＤを取り付け、固有ＩＤと物品Ｎｏ．の対応を追加するだけで補完することができる。
【図面の簡単な説明】
【００２４】
【図１】実施例における物品に４個のＲＦＩＤの取り付けた位置の関係の説明図。
【図２】実施例における物品に４個のＲＦＩＤの取り付けた場合の物品の認識方法の説明図。
【図３】実施例における物品に４個のＲＦＩＤの取り付けた場合の物品の認識方法をフローチャートの説明図。
【図４】実施例における物品に取り付けた４個のＲＦＩＤに対して１個のＲＦＩＤの取り替え方法の説明図。
【図５】実施例における物品に取り付けた４個のＲＦＩＤに対して１個のＲＦＩＤの取り替え方法をフローチャートの説明図。
【図６】実施例における物品の表側と裏側に２個のＲＦＩＤを取り付け、ＲＦＩＤリーダの読み取り状態の説明図。
【図７】実施例における物品の同じ面に２個のＲＦＩＤを取り付け、ＲＦＩＤリーダの読み取り状態の説明図。
【図８】実施例における円形の物品に３個のＲＦＩＤを取り付け、ＲＦＩＤリーダの読み取り状態の説明図。
【図９】実施例における楕円形の物品に４個のＲＦＩＤを取り付け、ＲＦＩＤリーダの読み取り状態の説明図。
【図１０】実施例における１２面体の物品に４個のＲＦＩＤを取り付け、ＲＦＩＤリーダの読み取り状態の説明図。
【符号の説明】
【００２５】
１．物品
２ａ〜２ｄ．ＲＦＩＤ
３ａ〜３ｃ．ＲＦＩＤリーダ
【図１】
2008097482.tif 000003
【図２】
2008097482.tif 000004
【図３】
2008097482.tif 000005
【図４】
2008097482.tif 000006
【図５】
2008097482.tif 000007
【図６】
2008097482.tif 000008
【図７】
2008097482.tif 000009
【図８】
2008097482.tif 000010
【図９】
2008097482.tif 000011
【図１０】
2008097482.tif 000012